(57)【要約】【課題】ユーザ・インタフェースを使用者一人一人に合わせる。【解決手段】携帯用電子装置をワークステーション（６０１）に接続するステップと、ユーザ・インタフェースの既存のバージョンを修正して（１５０２）ユーザ・インタフェースの個人化したバージョンを定義するステップと、ユーザ・インタフェースの個人化バージョンを定義する情報をワークステーションから携帯用電子装置（１０１）に送るステップと、携帯用電子装置上でユーザ・インタフェースの個人化バージョンを実装するステップとを含む方法。【選択図】　　　図６
2004005636.tif 000002
【特許請求の範囲】
【請求項１】
携帯用電子装置をワークステーションに接続するステップと、
ユーザ・インタフェースの個人化バージョンを定義するために前記ユーザ・インタフェースの既存バージョンを修正するステップと、
前記ワークステーションから前記携帯用電子装置へと、前記ユーザ・インタフェースの前記個人化バージョンを定義する情報を送るステップと、
前記携帯用電子装置に前記ユーザ・インタフェースの前記個人化バージョンを実装するステップと
を含んでなる携帯用電子装置のインタフェースを個人化する方法。
【請求項２】
前記ユーザ・インタフェースの前記既存バージョンによって実装された機能の標示を前記ワークステーション上に表示するステップをさらに含む請求項１に記載の方法。
【請求項３】
前記表示するステップが、前記ワークステーション上に、前記ユーザ・インタフェースの現行バージョンのシミュレーションのグラフィカルな描画を提供するステップを含む、請求項２に記載の方法。
【請求項４】
前記携帯用電子装置上にある前記ユーザ・インタフェースの前記既存バージョンを定義する情報を前記携帯用電子装置から前記ワークステーションに送るステップをさらに含む請求項２に記載の方法。
【請求項５】
前記ワークステーション上で前記携帯用電子装置に固有のインタフェース個人化プログラムを実行するステップをさらに含む請求項１に記載の方法。
【請求項６】
前記修正するステップが、
前記ワークステーション上の前記ユーザ・インタフェースの現行バージョンのグラフィカルな描画を提供するステップと、
前記ユーザ・インタフェースの前記個人化バージョンに含めることができる選択可能な機能のメニューを提供するステップと、
前記機能のうちの選択した機能を前記ユーザ・インタフェースの前記個人化バージョンに組み込むステップと
を含むものである、請求項１に記載の方法。
【請求項７】
前記修正するステップが、
前記ユーザ・インタフェースの前記既存バージョンに新しい機能を追加するステップと、
前記ユーザ・インタフェースの前記既存バージョンから既存の機能を削除するステップと、
前記ユーザ・インタフェースの前記既存バージョンの既存の機能を修正するステップと
を含むグループから選択されたいずれかのステップを含むものである、請求項１に記載の方法。
【請求項８】
前記ユーザ・インタフェースが、前記携帯用電子装置によって実装される選択可能な機能とそれぞれ関連した複数の表示可能なアイコンを含むグラフィカル・ユーザ・インタフェースを含む、請求項１に記載の方法。
【請求項９】
携帯用ハウジングと、
前記ハウジングに取り付けられた表示装置と、
前記ハウジングに取り付けられ、手動入力を受け入れる入力装置と、
ユーザ・インタフェースを定義する専用機能と設定コードとを実行するプログラム命令のある集合を記憶するメモリと、
前記メモリに接続され、前記プログラム命令の集合を実行し、前記設定コードに応じて前記ユーザ・インタフェースを実装するプロセッサと、
前記メモリに記憶するために前記設定コードを受け取るように構成された通信インタフェースと
を含んでなる専用機能を実行するための携帯用電子装置。
【請求項１０】
画像を形成する光学系と、
前記光学画像に応答し、前記メモリに前記光学画像の電子表現を記憶するように動作可能な撮像装置と
をさらに含む請求項９に記載の携帯用電子装置。
【発明の詳細な説明】
【０００１】
【発明の属する技術分野】
本発明は、携帯用電子装置を対象とし、より詳細には、購買者用にカスタマイズしたユーザ・インタフェースを含む携帯用装置の個人化に関する。
【０００２】
【従来の技術】
電子装置の小型化が進み、計算機能が向上し、そのような装置の製造コストが低くなってきたために、高度な機能を持つ電子装置の開発が早くなり入手しやすくなった。この技術は、既存の装置に取り入れられただけでなく、特に民生分野において、新しい形態の装置を可能にした。例えば、ディジタル・スチル・カメラは、従来の写真フィルム・カメラを補うもので、また場合によってはフィルム・カメラに置き換わることもある。携帯用カセット・プレーヤは、ディジタル記憶媒体に音声素材を何時間も記憶することができる半導体式ＭＰ−３プレーヤに代わってきている。携帯電話とページャは、ますます高度な双方向メッセージ機能を含み、インターネット・アクセスを提供してきている。
【０００３】
一般に、そのような携帯用電子装置は、例えば液晶表示装置（ＬＣＤ）の形の一体型表示パネルと、スイッチ、ボタン、カーソル位置決め装置、小型キーボード、視覚位置検出器、タッチパネル・オーバレイ、音声認識機能などを含む様々な入力装置を含む。提供された様々な入力装置と統合的表示機能を使用することにより、ユーザは、典型的な携帯用電子装置を使って、装置の制御と装置によるデータの処理の様々な選択とを行うことができる。一般に、この制御機能は、装置固有のオプションを選択するための階層的メニュー構造を提供する、ソフトウェアまたはファームウェアで実現されたグラフィカル・ユーザ・インタフェースの形である。
【０００４】
【発明が解決しようとする課題】
装置によって使用可能にされたユーザ・インタフェースは、メニュー構造を含み、煩雑だけでなくユーザを混乱させることがある。したがって、改善されたユーザ・インタフェースを提供する装置および方法が必要である。
【０００５】
【課題を解決するための手段】
本発明の１つの態様によれば、携帯用電子装置のインタフェースを個人化する（ｐｅｒｓｏｎａｌｉｚｅ）方法は、携帯用電子装置をワークステーションに接続するステップと、ユーザ・インタフェースの既存のバージョンを修正してユーザ・インタフェースの個人化したバージョンを定義するステップと、ユーザ・インタフェースの個人化バージョンを定義する情報をワークステーションから携帯用電子装置に送るステップと、携帯用電子装置上でユーザ・インタフェースの個人化バージョンを実装するステップとを含む。
【０００６】
本発明のもう１つの態様によれば、専用機能を実行する携帯用電子装置が、携帯用ハウジングと、ハウジングに取り付けられた表示装置と、ハウジングに取り付けられ手動入力を受け入れる入力装置と、専用機能を実行するための１組のプログラム命令を記憶するメモリと、ユーザ・インタフェースを定義する設定コードと、メモリに接続されて１組のプログラム命令を実行し、設定コードに応じてユーザ・インタフェースを実装するプロセッサと、メモリに記憶する設定コードを受け取るように構成された通信インタフェースとを含む。
【０００７】
本発明のさらにもう１つの態様によれば、ディジタル・カメラが、光学画像を形成する光学系と、光学画像に応じて画像データを記憶する画像変換システムと、画像データの処理を指示するようになされたユーザ・インタフェースと、ユーザ・インタフェースの動作を設定するユーザ定義データを受け取る通信インタフェースとを含む。
【０００８】
本発明のさらにもう１つの態様によれば、電子画像を受信先に送る方法が、受信先と関連付けられた電子メール・アドレスを受け取るステップと、受信先の名称を画像キャプチャー装置に送るステップと、光学画像をキャプチャーするステップと、光学画像を電子画像データに変換するステップと、画像キャプチャー装置に受信先の名称を表示するステップと、画像キャプチャー装置上で電子画像データを受け取る受信先を選択するステップと、電子メール・アドレスへの電子画像データの送信を開始するステップとを含む。
【０００９】
本発明のもう１つの態様によれば、携帯用電子装置のユーザ・インタフェースを設定するセットアップ・プログラムが、ユーザ・インタフェースを設定するコンピュータ可読プログラム・コードが実装されたコンピュータ使用可能媒体を含み、コンピュータ可読プログラム・コードが、ユーザ・インタフェースに含まれる選択項目のメニューをコンピュータに表示させるコンピュータ可読プログラム・コードと、ユーザ・インタフェースに含まれる選択項目のうちの少なくとも１つを指定するユーザに対して、コンピュータに応答させるコンピュータ可読プログラム・コードと、選択項目のうちの少なくとも１つを含むユーザ・インタフェースを使用可能にする設定データをコンピュータに生成させるコンピュータ可読プログラム・コードと、携帯用電子装置に設定コードをコンピュータにアップロードさせるコンピュータ可読プログラム・コードとを含む。
【００１０】
【発明の実施の形態】
本発明の実施形態は、例えば、ディジタル・カメラ、携帯情報端末（ＰＤＡ）、ＭＰ−３プレーヤ、無線および携帯電話装置などを含む広い範囲の携帯用装置に適用することができる。本発明の実施形態は、特に、他の環境の中でも特に、比較的小さい表示画面と、ボタンやスイッチなどの限られた数およびタイプの入力装置とを備えた装置に適用することができる。本発明の一実施形態の現在の例示的説明のため、本発明の態様に適合するディジタル・カメラについて述べる。しかしながら、本発明の実施形態が、特定のタイプの装置に限定されず、ディジタル・カメラが１つの適切な実施形態に過ぎないことを理解されたい。
【００１１】
ここで、図１を参照すると、ＨＰ　Ｐｈｏｔｏｓｍａｒｔ（登録商標）８１２などのディジタル・カメラ１０１がケース１０２の形の携帯用ハウジングを含んでいる。カメラは、平均的消費者などのユーザが支持したり保持したりしながら操作するように構成してもよい。ディジタル・カメラ１０１は、ＣＣＤ（図示せず）などの撮像装置上に被写体の光学像を作るためのレンズ１０３として示された光学系を含む。
【００１２】
カメラの背面を示す図２を用いて、ディジタル・カメラ１０１のさらに他の特徴について説明する。ディジタル・カメラ１０１は、ズーム制御部、シャッタ・レリーズ、焦点モードなどを含むカメラを操作する制御部の他に、ケース１０２内またはケース後部上に取り付けられた一体型液晶表示装置２０１を含む。表示装置２０１は、表示装置２０１の全体または一部分にキャプチャー画像２０２を表示し、１つ以上の選択可能なアイコン２０４を有するメニュー２０３の１つ以上の領域を表示するように動作する。また、ディジタル・カメラ１０１を保持しながらユーザが使用できるように、この例では、メニュー・ボタン２０５、シェア・ボタン２０６、表示ボタン２０７、および「ＯＫ」ボタン付き４方プロセッサ・アセンブリ２０８を含むような手で操作可能な電気スイッチの形の様々な入力装置が取り付けられている。様々なメニュー・オプションおよびカメラ機能のユーザ選択を実現するために、スイッチの操作が、例えばコントローラ（例えば、マイクロプロセッサ）やプロセッサを含むカメラ回路によって検出される。
【００１３】
取外し可能なメモリ・カードを使ったデータ転送の他に、適切な結合ケーブルおよびコネクタを使って、ディジタル・カメラ１０１をテレビジョン・モニタまたはコンピュータに直接接続することができる。
【００１４】
図３〜図５を参照すると、表示装置２０１のさらなる詳細を理解することができる。図３を参照すると、キャプチャー画像２０２を、ユーザに見せるために表示することができる。キャプチャー画像は、ライブ画像、最近キャプチャーした画像、記憶した画像、スライド・ショーなどを含むことができる。この同じ表示をシステム・メッセージに使用することができる。例えば、メニュー２０３は、ユーザ選択、カメラ操作、その他のトリガ・イベントに応じて表示されてもよく、様々な操作に備えた階層メニュー・ツリーの一部でもよい。メニュー２０３は、さらに、１つまたは複数の選択した画像を受け取る宛先および／または受信先を指定するシェア・メニュー（ｓｈａｒｅ　ｍｅｎｕ）を含むことができる。したがって、メニュー２０３は、印刷アイコン３０１、「２部」印刷アイコン３０２、アルバム・ページ向け印刷アイコン３０３、電子メール・アイコン３０４、ウェブサイト向け画像書込みアイコン３０５などの１つまたは複数の表示可能なアイコンを含むことができる。このシェア・メニューは、本発明の１つの実施形態に従えば、カメラ・シェア・メニューに含まれる特定の宛先および／または受信先の選択を含むインタフェースを個人化することにより、ユーザによって設定される。指定した宛先および／または受信先への画像の送信は、カメラからＰＣへ、ＬＡＮへ直接、あるいはインターネットおよび／または電子メール接続を提供するインターネット・サービス・プロバイダ（ＩＳＰ）へといった有線接続またはワイアレス接続によって実現することができる。有線接続は、必要に応じて、適切なコネクタとケーブル、電話ジャックなどを使用することができる。ワイアレス接続は、Ｂｌｕｅｔｏｏｔｈ、携帯電話、あるいは類似の無線周波数トランシーバと任意の必要なインタフェース（例えば、モデム）によって支援することができる。
【００１５】
シェア・メニュー機能は、ユーザ・インタフェースの機能の他の一例として、多数の様々なオプションを含むことができる。このオプションは、例えば、特定画像を変更可能な数だけ印刷すること、インデックス・シートを印刷すること、ＰＣのフォルダへ画像を保存すること、画像を含むＣＤを保存することおよび／または作成すること、直接またはインターネットを介して電子額縁のダウンロードすること、印刷サービス・ビューローへ送信することなどを含むがこれらに限定されない。
【００１６】
可能な選択の数が多くかつ／または選択を個人化することが好ましいので（例えば、特定の受信先およびその人の電子メール・アドレスを指定すること、好みのサービス・ビューローを名称すること、画像を転送する電子メール・メッセージに含める紹介メッセージまたは注意書を書き込むこと等）、本発明の１つの実施形態においては、ユーザ・インタフェースを構成するメニューおよび／または他の特徴および機能をユーザに合わせてカスタム化することができる。ディジタル・カメラを個人化するユーザ・インタフェースのカスタム化は、様々なアイコンおよび機能と関連した特徴の選択および／または設定を含むことができるが、例えばデフォルト・モードやボタン機能などを含むユーザ・インタフェースの他の態様をカスタマイズすることもできる。ユーザ・インタフェースのカスタム化は、例えば、（ｉ）カメラが写真撮影のための専用の機能を実行できるようにするプログラム命令、（ｉｉ）ユーザ・インタフェースを実装する設定コード（例えば、一部のプログラム命令）だけのダウンロード、または（ｉｉｉ）ディジタル・カメラ装置の機能を設定するパラメータを含む別個のスクリプトまたは設定ファイルを含む適切なソフトウェアを、ディジタル・カメラのメモリー（または、他の適切なプラットフォーム）にダウンロードすることによって行うことができ、「カスタム化」ファイルは、個人化されたユーザ・インタフェースを実装するためにプログラム・コードによって読み取られる。
【００１７】
特定のアイコンおよびそれと関連する機能（例えば、シェア・メニュー２０３の場合は、画像の電子メール受信先の指定）は、「ＯＫ」ボタン付き４方（４−ｗａｙ）プロセッサ・アセンブリ２０８（図２）を使用することによって実現することができる。起動された電子メール・アイコン４０１などの特定のアイコンを選択することで、選択されたアイコンと関連した受信先の名称を表示するタグ４０２のような追加情報を表示させることができる。複数のアイコンを、対応する受信先アドレスまたは機能に備えるように構成することができる。したがって、図５を参照して、シェア・メニューは、前に説明したように、選択可能なボタンまたはアイコン３０１〜３０５で表された機能を含むことができる。図示したシェア・メニューの定義と設定を提供する他に、本発明の実施形態によれば、ユーザは他の機能をカスタマイズすることができる。例えば、メイン・メニュー５０１は、再生アイコン５０２、削除アイコン５０３、拡大アイコン５０４、回転アイコン５０５、およびセットアップ・アイコン５０６によって表されるような再生機能を含むように構成することができる。これらのアイコンはそれぞれ、さらに他のユーザ選択および制御を提供する適切なサブメニューを呼び出すことができる。この場合も、本発明の実施形態による別個のシステムを使用すれば、メイン・メニュー５０１の内容、ルックアンドフィール、機能、配置およびの他の特徴をユーザが定義することができる。
【００１８】
図６に、セットアップ・プログラムを実行して必要な設定データや設定ファイルなどを生成するプラットフォームを示す。図６を参照すると、パーソナル・コンピュータ（ＰＣ）６０１は表示装置６０２を提供するモニタを含んでおり、その表示６０２は、例えば１つまたは複数のメニューの機能制御およびそれと関連したアイコンの配列を含むユーザ・インタフェースのシミュレーション６０３を表示している。また、ユーザ・インタフェースの一部である特定のメニューに含めるために、選択可能な機能およびアイコンを含むオプション・メニュー６０４が表示される。オプション・メニューの他に、例えば受信先の電子メール・アドレスおよびそれと関連した名前、サービス・ビューローのｆｔｐおよびウェブサイト、フォルダ名、記憶場所などのテキスト情報を入力する入力フィールド６０５が含まれることがある。
【００１９】
ユーザが、選択したアイコンをドラッグ・アンド・ドロップして関連した機能をイネーブルすることができるディジタル・カメラの表示装置の複製（ａ　ｆａｃｓｉｍｉｌｅ）を組み込むことに加え、セットアップ・プログラムは、さらに、シミュレーション機能を含むことができる。例えば、図７を参照すると、ディジタル・カメラのシミュレーション７０１により、ユーザは、シミュレーションと対話してディジタル・カメラや他の装置を個人化することができ、またユーザは、提案された設定を実行しテストすることができる。さらに、シミュレーションを使用して、設定される装置について慣れ親んだり訓練したりすることができる。
【００２０】
図８と図９に、本発明の実施形態によるセットアップ・プログラムのもう１つの形態を、「ウィザード」の形、すなわちユーザにメニューおよびユーザ・インタフェースをカスタマイズする手順を指示するステップバイステップな命令の集合と画面の形で示す。図８は、ユーザ・インタフェースをカスタマイズのために最初のカメラ・セットアップ・ウィザード画面８０１を示す。図９は、現行シェア・メニュー（領域９０２）の現在の内容を表示し、メニューへの選択したアイテムの追加（領域９０３）、修正（修正操作ボタン９０５）、および削除（除去操作ボタン９０６）を表示する機構を提供する「シェア・メニューの修正」（ｍｏｄｉｆｙ　ｓｈａｒｅ　ｍｅｎｕ）９０１を示す。図９に示したシェア・メニューの修正９０１は、ディジタル・カメラ上に現在あるシェア・メニューに既に含まれているアイテムを表す現行シェア・メニュー領域９０２を提供する。既存のシェア・メニュー項目は、対象のディジタル・カメラのシミュレーションを含むカメラ・グラフィック９０４内に表示されている。カメラ・グラフィック９０４は、シミュレーションの表示を強調するために例えば実際のカメラよりも大きく液晶表示装置を表すことによって、対象のディジタル・カメラを少し修正した形で示して適切な表示領域を提供する。現行シェア・メニュー領域９０２には、カメラ・グラフィック９０４の表示部分内に表示されているかまたはそれを使用して選択されたアイテムを修正すること（修正（ｍｏｄｉｆｙ）操作ボタン９０５）および／または削除すること（除去（ｒｅｍｏｖｅ）操作ボタン９０６）を可能にする操作ボタンが含まれる。シェア・メニューの修正９０１の別の領域は、ユーザが、プルダウン・メニュー領域９０７を使ってシェア・メニューに含まれる新しいアイテムを指定することができるシェア・メニューへの追加領域（ａｄｄ　ｔｏ　ｓｈａｒｅ　ｍｅｎｕ　ａｒｅａ）９０３を含む。追加操作ボタン９０８によって、ユーザは、選択したアイテムをシェア・メニューに組み込むことができる。
【００２１】
特定の機能を追加するために追加の情報が必要な場合は、ユーザは、追加の情報を提供するのに必要となるステップによって導かれる。例えば、図１０を参照すると、電子メール・アドレスをシェア・メニューへ追加する場合には、所望の宛先への画像データの電子メール送信を可能にする追加情報を要求する入力画面１００１をユーザに提示することができる。例えば、電子メールの場合、ユーザは、特定の宛先と関連付けられかつディジタル・カメラ上に表示されて特定の宛先を指定するラベルまたはタイトルをテキスト入力領域１００２に入力するように要求される。したがって、電子メール・アイコン４０１および「ママに電子メール（Ｅ−ｍａｉｌ　ｔｏ　Ｍｏｍ）」というタグ４０２（図４）と関連したテキストを、テキスト入力領域１００３に入力される電子メール・アドレスと関連付けて入力することができる。入力領域１００４と１００５に入力をすると、例えばシェア・メニューを使って画像を転送するときに電子メールの一部分として含まれる件名欄や短いメッセージなどを含む、対応する電子メール・アドレスと関連した電子メールに含まれる情報がさらに要求される。
【００２２】
図１１は、例えば、宛先と関連付けられるラベル（“ｔｏ”フィールド１１０２）、関連した電子メール・アドレス（“ａｄｄｒｅｓｓ”フィールド１１０３）、電子メール件名フィールド１１０４、およびメッセージ・フィールド１１０５に表示されるような電子メール・メッセージの本文に組み込まれる短いメッセージを含む、写真電子メール・セットアップ画面１００１（図１０）を使って提供されるユーザ・データを表示する確認画面１１０１を示す。
【００２３】
図１２は、現行シェア・メニュー内にある１つまたは複数のアイテム１２０２を示すカメラ・シェア・セットアップ・ウィザード１２０１の画面表示である。これらのアイテムは、最近追加されたか、あるいは前に作成された現行（すなわち、修正前）のシェア・メニューの一部分であった可能性がある。
【００２４】
シェア・メニュー更新の完了と確認が図１３に示されている。ここで、カメラシェア・メニュー・セットアップ・ウィザード画面１３０１は、シェア・メニューが対象のカメラに保存されたことをユーザに知らせ、カメラを切り離してシェア・メニューの変更を確認する等のユーザへの追加の指示を含むことができる。メニューのその他の態様をカスタマイズするためかつ／または関連のある電子メール・アドレスなどの指定されたアイテムに関係した情報を入力ための追加の画面を設けることができる。セットアップ・ウィザードは、さらに、ユーザ・インタフェースをユーザが個人化できるように、カメラに適切な設定データをアップロードする機能を含むことができる。
【００２５】
図１４に、ディジタル・カメラ１０１ならびにディジタル・カメラ１０１が接続される様々な装置および基礎構造（ｉｎｆｒａｓｔｒｕｃｔｕｒｅ）を含む、本発明の実施形態におけるシステムのブロック図を示す。ディジタル・カメラ１０１は、ディジタル・カメラ専用の機能、すなわち画像をキャプチャーし、記憶し、送信するのに必要な機能を実現するソフトウェアまたはファームウェアを実行するために専用にすることができるコントローラまたはプロセッサ１４０１を含む。プロセッサ１４０１は、カメラのユーザ・インタフェースや他の機能の個人化を可能にするのに十分なリソースを有することができる。プロセッサ１４０１には、バックライト１４０３によって照明することができるＬＣＤ表示装置１４０２が接続されている。レンズ（図示せず）からなる適切な光学系は、画像を撮像装置およびディジタイザ１４０４に投影して、対応する信号をアナログ・ディジタル変換器１４０５に提供することができ、この組み合わせによって、画像データをプロセッサ１４０１に提供する画像変換システムが構成される。画像データは、一般にビットマップ画像の形であり、ＬＣＤ表示装置１４０２に表示されプロセッサ１４０１によって処理されるべく、メモリ１４０７に一時的に記憶されることがある。この処理は、例えば、画像の不可逆圧縮（例えば、ＪＰＥＧ符号化）及び／または、記憶装置１４１１（例えば、メモリ・スティック）内の記憶域の再フォーマット、または意図した受信先（例えば、電子メール・アドレス、プリンタなど）への送信を含む。
【００２６】
ディジタル・カメラ１０１のユーザ制御部は、スイッチ１４０６によってイネーブルにされ、プロセッサ１４０１はこのスイッチ１４０６に応答して、選択した機能を実装しかつ／または液晶表示装置１４０２に適切なメニューや画像などを表示する。例えば、ユーザがシャッタ・レリーズを押すと、それに応じて、プロセッサ１４０１は、自動焦点回路および／または機構１４０９を作動させて、光学系を適切に調整し（例えば、カメラ・レンズの焦点を合わせる）、シャッタ１４１０を作動させて、撮像装置およびディジタイザ１４０４上に光学像をキャプチャーすることができる。
【００２７】
ユーザは、記憶した画像を表示させる他に、選択した画像を受け取る１つまたは複数の受信先を指定することができる。この場合、プロセッサ１４０１自体が、記憶装置１４１１に記憶された画像データを送信用に符号化し、符号化した画像データを、通信インタフェース１４１４を介してＰＣ６０１に送信するためにインタフェース１４１２に提供することができる。ＰＣ６０１は、電子メール・メッセージを作成し送信するのに適した電子メール・クライアント１４１９を含むことができる。意図した電子メール受信先の名称を画像データと関連付けて指定することができ、ＰＣ６０１は、電子メール受信先を適切な電子メール・アドレスと関連付ける。代替として、ディジタル・カメラ１０１が、適切な電子メール・サーバへの直接インタフェースを含む場合は、ディジタル・カメラ１０１は、適切な電子メール・クライアント機能を含み、画像データを受信先の関連電子メール・アドレスと関連付けてサーバに直接送信することができる。代替として、ＰＣ６０１は、画像データおよびそれと関連した受信者情報をインターネット・ベースのサーバに転送し、次にそのサーバが、電子メール・メッセージを作成し送信することができる。
【００２８】
ディジタル・カメラ１０１は、ＵＳＢポートなどの適切なインタフェースを使ってＰＣ６０１に接続することができる。同様に、インタフェース１４１２は、ＵＳＢ対応のものでもよい。そして次に、コンピュータ６０１は、ディジタル・カメラ１０１から受け取った画像データを指定した受信先に送ることができる。この例において、コンピュータ６０１は、画像データを電子メール・メッセージの添付物として送信するために、公衆交換電話網（ＰＳＴＮ）１４１５に接続され、また、ＳＭＴＰサーバ１４１６によってサポートされた適切な電子メール・システムに接続される。代替として、高解像度画像と関連した大量のデータを電子メールの添付物として送信するのではなく、画像の低解像度「サムネイル」版を、電子メールによって送信することができる。このケースでは、電子メール・メッセージには、例えば適切なサーバ上に記憶することができる最大解像度画像にアクセスするためのリンク（例えば、ユニフォーム・リソース・ロケータまたは「ＵＲＬ」）を含めることができる。
【００２９】
この例では、ＳＭＴＰサーバ１４１６は、選択した受信先の特定の電子メール・クライアント１４２４と関連付けられたＰＯＰサーバ１４１８に画像データを送るインターネット１４１７に接続されている。もう１つの例として、リモート・プリンタの指定は、リモート・プリンタ１４２２を使って印刷するために、適切なメッセージをコンピュータ・システム１４２１に送信することによって、同じようにして達成することができる。これと反対に、ローカル印刷は、コンピュータ６０１に直接接続されたプリンタ１４２０を使って達成することができる。
【００３０】
ディジタル・カメラ１０１は、さらに、様々な通信システムに直接接続する機構を含むことができる。例えば、ディジタル・カメラ１０１は、ローカル・エリア・ネットワークなどの適切な通信システムに直接接続され、あるいはこの例では、ＳＭＴＰサーバ１４１６にダイアル・アップ・アクセスを行うＰＳＴＮに直接接続することができる一体型モデム１４１３を含むことができる。したがって、ディジタル・カメラ１０１を電話線に直接接続して、指定された個人、サービス・ビューロー、他のリモート装置などの受信先へと画像データを電子メールを用いて送信することができる。ディジタル・カメラ１０１は、さらに、無線ネットワーク１４２３に接続するための無線トランシーバ１４０８を含むことができる。無線トランシーバ１４０８は、例えば携帯電話、ＣＤＰＤ（Ｃｅｌｌｕｌａｒ　Ｄｉｇｉｔａｌ　Ｐａｃｋｅｔ　Ｄａｔａ）、Ｂｌｕｅｔｏｏｔｈなどを含む１つまたは複数の無線システムと互換性を持つことができる。
【００３１】
図１５のフローチャートによって、本発明の実施形態による方法を示す。ステップ１５０１から開始すると、ステップ１５０２においてディジタル・カメラとＰＣとの間で接続が確立され、ＰＣは、ステップ１５０３において開始される適切なセットアップ・プログラムを実行する。ステップ１５０４において、カメラがサポートする現在の設定および機能を表示できるようにするために、スクリプトおよび／または設定ソフトウェアが、カメラからＰＣにアップロードされる。そして、ステップ１５０５において現在のカメラ設定および修正オプションが表示され、ステップ１５０６においてユーザは、電子メール・アドレスおよび適切なラベル名称による電子メール受信先の指定を含む追加、削除および／または修正の機能を指定することができる。代替として、この情報をＰＣに記憶しておいてカメラからの設定情報のダウンロードを不要にするか、設定プロセスの開始の際にデフォルトの「標準」設定を使用することができる。代替として、この情報をインターネット・ベースのサーバに記憶して、その情報に複数のコンピュータからアクセスできるようにすることができる。さらに、図示していないが、前に説明したように、例えば、プリンタおよび印刷オプション、画像データをアップロードできるウェブ・サーバおよびウェブ・ページのアドレス、画像データを記憶するフォルダまたはディレクトリ、サービス・ビューローの名前およびアドレスなどを含む他のシェア・タイプ情報を提供することができる。
【００３２】
ステップ１５０７においては、ステップ１５０６でユーザ・インタフェースに行なわれた変更が処理され、ユーザ・インタフェースの所望の機能および設定を実装する新しい設定データおよび／または新しいスクリプトが生成される。次に、ステップ１５０８において、この更新された設定データおよび／またはスクリプトがＰＣからカメラにダウンロードされ、首尾良くダウンロードされたことを確認した上で、ステップ１５０９においてディジタル・カメラをＰＣから切り離すことができる。有線接続経由の送信の代替として、ワイアレス接続（例えば、無線、赤外線など）や、メモリ・カードや「スティック」などのカメラ内の物理媒体の挿入および／または交換を含む他の媒体および方法を使用して、カメラにダウンロードすることができる。この時点で、設定データおよび／またはスクリプトによって提供されており、再設定されて個人化されているユーザ・インタフェースやその他の機能を初期化して使用可能とするために、ディジタル・カメラが必要に応じて再起動されることがある。
【００３３】
ステップ１５１０において、ディジタル・カメラを、通常の動作モードで操作して、画像をキャプチャーし、関連した画像データをカメラ・メモリに記憶することによって、写真を撮影することができる。記憶すると、ステップ１５１１において、ユーザは、個人化したユーザ・インタフェースを使うことにより、画像を受け取る共用の宛先を指定することができる。ステップ１５１２においてカメラをＰＣに接続すると、ステップ１５１３において画像データがディジタル・カメラからＰＣにアップロードされ、ステップ１５１４において画像のいくつかと関連付けられて指定された宛先がＰＣによって識別される。この場合も、これらの宛先は、例えば、プリンタを含む広範囲の受信先を含むことができ、その結果、ステップ１５１５において所望の部数の画像を印刷することができる。電子メールによる送信の場合は、ステップ１５１６においてＳＭＴＰ電子メール・サーバへの接続とログインを行う。設定情報の一部には、例えばサーバ・アドレス、アカウント情報、暗証番号（ｐｉｎ；　ｐｅｒｓｏｎａｌ　ｉｎｆｏｒｍａｔｉｏｎ　ｎｕｍｂｅｒ）またはパスワードなどを含む、ログインを実行するのに必要なデータを含むことに注意されたい。
【００３４】
指定した画像の送信は、例えば、指定の宛先に宛てた電子メール・メッセージに画像データを組み込むかまたは添付したり、何らかの中間サーバを使用して、受信先から取り出すために画像が記憶してあることを意図した宛先に通知したりすることを含む、様々な方法を使って達成することができる。この後者の方法と一貫しているものであるが、ステップ１５１７においては、画像を直接メール送信する代わりに、意図した受信先が取り出すことができる適切なサーバへと指定した画像を送信する。サーバにアップロードして画像にアクセスできるようにすることによって、時間がかかったり小さいファイル・サイズに限定されるプロセスとなる大きい画像ファイルの添付ファイルによる送信が回避される。アクセスは、例えば、アクセス権を得るためにパスワードを必要とする場合がある安全なウェブサイトに画像を書き込むことによって可能にすることができる。ステップ１５１８において、指定した画像の低解像度サムネイル画像が作成される。ステップ１５１９において、このサムネイル画像を、対応するリンク情報と共に、受信先へのメッセージおよび画像にアクセスするのに必要なパスワードと共に電子メールに組み込むことができる。次に、電子メールは、ステップ１５２０において選択した受信先に送信される。サーバへの直接電子メールおよび送信について説明したが、この説明は、本発明の実施形態を使用してカスタム・ユーザ・インタフェースを作成するユーザ・カスタマイズの対象になる機能の単なる例示である。
【００３５】
ステップ１５２１においてＰＣ上またはディジタル・カメラ自体にメッセージの状況が示される。電子メールの送信が成功すると、ステップ１５２２においてＳＭＴＰサーバからのログオフおよび切断が行われ、ステップ１５２３においてカメラをＰＣから切り離すことができ、ステップ１５２４においてこの方法が終了する。
【００３６】
前に説明したように、画像データの送信は、サーバに画像データを書き込みかつ画像データにリンクを提供によって達成することができるものであるが、例えば１つまたは複数の電子メール・メッセージへの１つまたは複数の添付ファイルとしてオリジナル画像データを直接送信することを含んでいる、画像データを送信する他の方法を使用することもできる。さらに、ユーザ・インタフェースの設定を、設定ファイルおよび／またはスクリプトのダウンロードの観点から説明したが、その代わりに全く新しいソフトウェアの集合またはソフトウェアの部分をディジタル・カメラにダウンロードすることもできる。さらに、本発明の実施形態により、例えば、表示背景色、フォント、メニューに表示する機能、お気に入りなどを含むユーザ・インタフェースの他の特徴を定義することができる。さらに、ユーザ・インタフェースを個人化する特定のオプションの順序を定義することができる。さらに、カメラ表示装置をカスタマイズするために、様々な「スキン」を実装することができる。
【００３７】
さらに、本発明の実施形態をディジタル・カメラの観点で説明したが、本発明の他の実施形態を、一般に他の携帯用装置および／または対話装置を含むがこれらに限定されない電子装置に適用して、例えばＭＰ−３プレーヤ、ＰＤＡ、携帯電話、双方向ページャ、全地球測位システム（ＧＰＳ）を含む装置を個人化することができることを理解されたい。
【図面の簡単な説明】
【図１】本発明の実施形態に適合するディジタル・カメラの正面斜視図である。
【図２】図１のディジタル・カメラの背面図である。
【図３】キャプチャー画像とメニューを構成する１組のアイコンとを表示する図１のディジタル・カメラに組み込まれた表示画面の背面図である。
【図４】アイコンのうちの１つの選択を示す図１のカメラに組み込まれた表示画面の図である。
【図５】表示装置のどちらかの側にアイコンのメニューを表示する図１のディジタル・カメラに組み込まれた表示装置の図である。
【図６】本発明の実施形態によりディジタル・カメラ・インタフェースを個人化する設定ソフトウェアを実行するシステムの正面図である。
【図７】本発明の実施形態によって個人化されたディジタル・カメラのシミュレーションを含むディジタル・カメラを個人化するソフトウェアを設定するシステムの正面図である。
【図８】本発明の実施形態によりディジタル・カメラ・ユーザ・インタフェースを個人化する設定ソフトウェアによって生成された表示の図である。
【図９】メニューに組み込まれたカメラ機能の選択を可能にするディジタル・カメラ・ユーザ・インタフェースを個人化するために使用される設定ソフトウェアによって生成された表示の図である。
【図１０】ディジタル・カメラのカスタマイズされたメニューに追加される選択可能な電子メール宛先と関連した電子メール情報を要求する表示の図である。
【図１１】設定ソフトウェアによって生成された確認画面の図である。
【図１２】ディジタル・カメラ・ユーザ・インタフェースによって提供される機能のユーザ表示および修正を可能にする設定ソフトウェアによって生成される画面の図である。
【図１３】ユーザ・インタフェースのメニュー部分が首尾良く更新されたことをユーザに通知する設定ソフトウェアによって生成された状況画面の図である。
【図１４】カメラを設定し、選択した宛先に画像データを送るためにネットワークにアクセスするコンピュータ・システムに接続されたディジタル・カメラのブロック図である。
【図１５】本発明の実施形態によってディジタル・カメラ・ユーザ・インタフェースを個人化する方法のフローチャートである。
【符号の説明】
１０１　携帯用電子装置
１０２　携帯用ハウジング
１０３　光学系
２０１　表示装置
２０６，２０７，２０８　入力装置
３０１〜３０５　アイコン
６０１　ワークステーション
６０３，７０１　図形描画
１４０１　プロセッサ
１４０７　メモリ
１４１２　通信インタフェース
【図１】
2004005636.tif 000003
【図２】
2004005636.tif 000004
【図３】
2004005636.tif 000005
【図４】
2004005636.tif 000006
【図５】
2004005636.tif 000007
【図６】
2004005636.tif 000008
【図７】
2004005636.tif 000009
【図８】
2004005636.tif 000010
【図９】
2004005636.tif 000011
【図１０】
2004005636.tif 000012
【図１１】
2004005636.tif 000013
【図１２】
2004005636.tif 000014
【図１３】
2004005636.tif 000015
【図１４】
2004005636.tif 000016
【図１５】
2004005636.tif 000017